(57)【要約】【課題】優れたデザインのアーチ状ピコを有するピコ付きソックス提供する。【解決手段】口部２の縁に複数のアーチ状ピコ３を有するソックス１において、口部２の縁を一周するように、１８個のアーチ状ピコ３を形成する。このとき、各アーチ状ピコ３は織り目の盛り上がった突条を８個有している。各ピコ３の横幅をＷ、高さをＴとしたとき、０．３≦Ｔ／Ｗ≦２  であることがデザイン的に好ましい。【選択図】図１
0003188567.tif 000002
【実用新案登録請求の範囲】
【請求項１】
口部の縁に複数のアーチ状ピコを有するソックスであって、
前記口部の縁を一周するように、１８個のアーチ状ピコが形成されていることを特徴とするピコ付きソックス。
【請求項２】
各アーチ状ピコはその高さ方向に織り目の盛り上がった突条を８個有していることを特徴とする請求項１に記載のピコ付きソックス。
【請求項３】
前記アーチ状ピコが下向きとなるように前記口部が所定幅で折り返されている請求項１又は２に記載のピコ付きソックス。
【請求項４】
前記口部の縁の近傍に飾りを装着するためのループが設けられていることを特徴とする請求項１乃至３のいずれか一項に記載のピコ付きソックス。
【請求項５】
各ピコの横幅をＷ、高さをＴとしたとき、０．３≦Ｔ／Ｗ≦２  であることを特徴とする請求項１乃至４のいずれか一項に記載のピコ付きソックス。
【考案の詳細な説明】
【技術分野】
【０００１】
本考案は、口部の縁に複数のアーチ状ピコ（ピコットとも言う）を有するピコ付きソックスに関する。
【背景技術】
【０００２】
一般に、通学時に女子学生の着用するソックス（短靴下であってストッキングは含まない）は、口部がストレートで飾りの無いものが主流となっている。しかしながら、多様なデザインのソックスを着用したいという要望は潜在的に存在するものと思われる。
【考案の概要】
【考案が解決しようとする課題】
【０００３】
本考案はこうした状況を認識してなされたものであり、その目的は、多様なデザインのソックスの一例として、口部の縁に複数のアーチ状ピコを有するピコ付きソックスを提供することにある。
【課題を解決するための手段】
【０００４】
本考案のある態様は、ピコ付きソックスである。このピコ付きソックスは、口部の縁に複数のアーチ状ピコを有するものであって、
前記口部の縁を一周するように、１８個のアーチ状ピコが形成されていることを特徴とする。
【０００５】
前記態様において、各アーチ状ピコはその高さ方向に織り目の盛り上がった突条を８個有しているとよい。
【０００６】
前記態様において、前記アーチ状ピコが下向きとなるように前記口部が所定幅で折り返されているとよい。
【０００７】
前記態様において、前記口部の縁の近傍に飾りを装着するためのループが設けられているとよい。
【０００８】
前記態様において、各ピコの横幅をＷ、高さをＴとしたとき、０．３≦Ｔ／Ｗ≦２  であるとよい。
【０００９】
なお、以上の構成要素の任意の組合せもまた、本考案の態様として有効である。
【考案の効果】
【００１０】
本考案によれば、優れたデザインのアーチ状ピコを有するピコ付きソックスを実現できる。
【図面の簡単な説明】
【００１１】
【図１】本考案に係るピコ付きソックスの実施の形態であって、口部を拡大した要部拡大平面図。
【図２】全体平面図。
【図３】口部を折り返した全体平面図。
【図４】アーチ状ピコ部分を拡大した模式的説明図。
【考案を実施するための形態】
【００１２】
以下、図面を参照しながら本考案の好適な実施の形態を詳述する。なお、各図面に示される同一または同等の構成要素、部材等には同一の符号を付し、適宜重複した説明は省略する。また、実施の形態は考案を限定するものではなく例示であり、実施の形態に記述されるすべての特徴やその組み合わせは必ずしも考案の本質的なものであるとは限らない。
【００１３】
図１乃至図４において、ピコ付きソックス１は、その口部２にアーチ状ピコ３を複数有している。具体的には、アーチ状ピコ３は、デザイン上の観点から口部２の縁を一周するように、１８個形成されている。
【００１４】
その理由を説明すると、この種のソックスを製造する場合、丸編み靴下編み機のうち、とくにリンクス機と呼ばれる編み機を使用する。その中でも一般的なのが針数が１４４本のリンクス機である。このとき、各ピコに割り当てられる針数が同数でないと、ピコの大きさが不揃いとなり、デザイン的に好ましくない。
【００１５】
一方、ピコの個数の整数倍が１４４になるように、ピコの個数を設定することにより、各ピコの大きさを揃えることが可能となる。しかし、ピコの個数を多くすると、ピコの存在が目立たなくなるし、ピコの個数が少なくなってもデザイン的に口部の縁がストレートに近くなって仕舞う。
【００１６】
本実施の形態の図４に示すように、１個のアーチ状ピコ３に対して８針を割り当てて、１８個のアーチ状ピコ３をリンクス機で編むようにすれば、アーチ状ピコ３の大きさが口部２の寸法に対してバランスの取れたものとなり、デザイン的にも優れたものが得られる。この場合、図４に示すように、１個のピコ３に織り目の盛り上がった８個の突条Ｐ１，Ｐ２，Ｐ３，Ｐ４，Ｐ５，Ｐ６，Ｐ７，Ｐ８が現れる。突条Ｐ２とＰ３、Ｐ４とＰ５、Ｐ６とＰ７はそれぞれ互いに隣接しているが、編み方向が異なり、間に微小溝７がある。Ｐ１とＰ８はそれぞれ隣のピコの突条に隣接する。
【００１７】
また、図４において、各アーチ状ピコ３の横幅をＷ、高さをＴとしたとき、
０．３≦Ｔ／Ｗ≦２
とすることで、ピコ３の横幅と高さのバランスを適度に保つことができる。Ｔ／Ｗが０．３未満ではアーチ状ピコ３の高さが不足して目立たなくなり、Ｔ／Ｗが２より大きいとピコ３が尖った印象となる。
【００１８】
なお、全体形状であるが、図１のようにアーチ状ピコ３を設けた口部３を折り返さずにそのまま製造、販売することも可能であるし、図３のようにアーチ状ピコ３を設けた口部３を折り返して製造、販売することも可能である。また、使用者は図１の状態で着用してもよいし、図３の状態で着用してもよい。
【００１９】
本実施の形態によれば、下記の通りの効果を奏することができる。
【００２０】
(1) 口部２の縁に複数のアーチ状ピコ３を有するソックス１において、口部２の縁を一周するように、１８個のアーチ状ピコ３を形成することで、一般的な針数が１４４本のリンクス機で編む場合に、各ピコ３の大きさを揃えて、かつ形状のバランスを良好にすることができる。
【００２１】
(2) 各アーチ状ピコ３の横幅をＷ、高さをＴとしたとき、０．３≦Ｔ／Ｗ≦２  に設定することで、ピコ３の横幅と高さのバランスを適度に保つことができる。
【００２２】
以上、実施の形態を例に本発明を説明したが、実施の形態の各構成要素は請求項に記載の範囲で種々の変形が可能であることは当業者に理解されるところである。以下、変形例について触れる。
【００２３】
図１の仮想線に示すように、アーチ状ピコ３を形成した口部２を折り返した時に隠れる位置に、飾り取付用のループ５をソックス１と一体的に設けてもよい。ループ５はソックス１と一体に編み上げてもよいし、別体の紐、布等を縫い付けてもよい。
【符号の説明】
【００２４】
１  ソックス
２  口部
３  アーチ状ピコ
５  ループ
Ｐ１，Ｐ２，Ｐ３，Ｐ４，Ｐ５，Ｐ６，Ｐ７，Ｐ８  突条
【図４】
0003188567.tif 000003
【図１】
0003188567.tif 000004
【図２】
0003188567.tif 000005
【図３】
0003188567.tif 000006